(57)【特許請求の範囲】
【請求項１】
持ち手と注ぎ口を設けた容器本体と、容器本体と係合する蓋からなるピッチャーであって、
前記蓋は、蓋面と容器本体の外側面の上部の一部を覆う２つの側面から構成され、蓋面の裏面には容器本体の注ぎ口周囲の内側面の上部と接するリブが略円弧状に設けられ、前記蓋面には前記リブの両端の間に位置するようにスリットが設けられ、前記側面の内面には容器本体の外側面に２か所設けられた凹部と係合する凸部が設けられていることを特徴とするピッチャー。
【請求項２】
前記蓋の側面の外面には突起が設けられていることを特徴とする請求項１に記載のピッチャー。
【発明の詳細な説明】
【技術分野】
【０００１】
本発明は、ビール等の飲料水を収容しジョッキ等に注ぐピッチャーに関する。
【背景技術】
【０００２】
ビール等の飲料水を大量に収容し、必要に応じてジョッキやコップ等に飲料水を注ぐ容器として、ピッチャーが飲食店等では幅広く使用されている。ピッチャーは一般的に、持ち手と注ぎ口が設けられ飲料水を収納する本体部から構成され、必要に応じて蓋が設けられている。蓋を有するピッチャーの場合、パッキン等を用いて密閉性を高めたもの（特許文献１参照）がある。
【先行技術文献】
【特許文献】
【０００３】
【特許文献１】特開２００５―００６８６５号公報
【発明の概要】
【発明が解決しようとする課題】
【０００４】
しかしながら、上述のようなパッキンを用いる場合、密閉性は高くなるがパッキンを用いるためにコストが増加するという問題があった。また、飲食店等で使用するピッチャーの場合、常に密閉性が求められるのではなく、飲料水を注ぐ際に注ぎ口の周囲から飲料水が漏れるのが問題であり、注ぎ口の周囲だけでも密閉性が高ければよく、また、あまり密閉性が高くても蓋の開閉に手間が掛かると使い勝手が悪化するという問題があった。
【０００５】
そこで、本発明は従来の問題を解決するために、パッキン等の余分な付属物を用いることなく、飲料水を注ぐ際の注ぎ口の周囲の密閉性を高め、さらに、簡単に蓋を取り外しすることができるピッチャーを提供することを目的とする。
【課題を解決するための手段】
【０００６】
本発明のピッチャーは、持ち手と注ぎ口を設けた容器本体と、容器本体と係合する蓋からなるピッチャーであって、前記蓋は、蓋面と容器本体の外側面の上部の一部を覆う２つの側面から構成され、蓋面の裏面には容器本体の注ぎ口周囲の内側面の上部と接するリブが略円弧状に設けられ、前記蓋面には前記リブの両端の間に位置するようにスリットが設けられ、前記側面の内面には容器本体の外側面に２か所設けられた凹部と係合する凸部が設けられていることを特徴とする。
【０００７】
前記蓋の側面の外面に突起を設けることで使い勝手を向上させることもできる。
【発明の効果】
【０００８】
本発明のピッチャーは、持ち手と注ぎ口を設けた容器本体と、容器本体と係合する蓋からなるピッチャーであって、前記蓋は、蓋面と容器本体の外側面の上部の一部を覆う２つの側面から構成され、蓋面の裏面には容器本体の注ぎ口周囲の内側面の上部と接するリブが略円弧状に設けられ、前記蓋面には前記リブの両端の間に位置するようにスリットが設けられ、前記側面の内面には容器本体の外側面に２か所設けられた凹部と係合する凸部が設けられていることにより、余分な部品を用いることなく、飲料水を注ぐ際の注ぎ口周囲の密閉性を高め、飲料水が注ぎ口以外から漏れるのを防ぐことが可能となる。
【０００９】
前記蓋の側面の外面に突起を設けることにより、蓋を簡単に取り外すことが可能となる。
【図面の簡単な説明】
【００１０】
【図１】本発明のピッチャーの斜視図である。
【図２】本発明のピッチャーの蓋を外した状態の側面図である。
【図３】本発明のピッチャーの断面図である。
【図４】蓋の斜視図であり、（ａ）が表から見た蓋の斜視図、（ｂ）が裏から見た蓋の斜視図である。
【図５】ピッチャーを傾けて、飲料水を注いでいる状態を示す断面図である。
【図６】ピッチャーを傾けて、飲料水を注いでいる状態を示す断面図である。
【図７】蓋と容器本体との係合状態を示す断面図である。
【図８】蓋のリブと容器本体が密着している状態を示す断面図である。
【発明を実施するための形態】
【００１１】
本発明を、図を用いて以下に詳細に説明する。図１が本発明のピッチャー１の斜視図であり、図２が本発明のピッチャー１の側面図である。
【００１２】
本発明のピッチャー１は、図１に示すように、持ち手３と、注ぎ口４を設けた容器本体２と、容器本体２と係合する蓋５からなる。容量としては、ビール等の飲料水を入れることを想定し、１．８Ｌ程度とする。飲料水の種類は限定するものではない。また、材質も樹脂を用いて形成することを想定しているが、これに限定するものではなく、ガラス等の他の材質を用いることも可能である。
【００１３】
容器本体２は、図２、３に示すように、上部から下部に向かって外周の直径が減少していく円筒形であり、容器本体２の上部には持ち手３と注ぎ口４を設けており、持ち手３と注ぎ口４は対向する位置に配置されている。前記持ち手３は、容器本体２の上部から外側に向かって水平方向から下方へと略Ｌ字状に延在している。そして、凹部６が容器本体２の外側面に２か所設けられている。
【００１４】
前記蓋５は容器本体２の上部の注ぎ口４が設けられている側の略半分を、注ぎ口４の上方を残して塞ぐ大きさであり、図４に示すように、容器本体２を塞ぐ蓋面７と容器本体２の上部の側面の一部を覆う２つの側面８から構成されている。前記蓋面７にはスリット９が設けられ、蓋面７の裏面には容器本体２の注ぎ口４の周囲の内側面の上部と接するリブ１０が設けられ、前記側面８の内面には容器本体２の外側面に２か所設けられた凹部６に嵌る凸部１１が設けられ、前記側面８の外面には蓋５を容器本体２から取り外す際に使用する突起１２が設けられている。
【００１５】
図７に示すように、蓋５に設けた凸部１１が、容器本体２に設けた凹部６に嵌ることで、蓋５は容器本体２と係合している。蓋５を取り外しやすくするために、前記凸部１１の断面は半円形状としており、蓋５を取り外す際には、突起１２に指を掛けると簡単に取り外すことができる。
【００１６】
前記リブ１０は、容器本体２の注ぎ口４の周囲に沿う形で略円弧状に形成されており、前記リブ１０の両端の間に位置するように前記スリット９が設けられている。前記リブ１０は、図５に示すように、容器本体２に入れた飲料水を注ぐために容器本体２を傾けた時に、前記蓋５が前記容器本体２の注ぎ口４の周囲から、飲料水が漏れてくるのを防ぐために設けている。
【００１７】
蓋５を容器本体２に係合させると、図８に示すように、前記リブ１０は容器本体２の内側面の上部と接触した状態となり、飲料水が漏れる隙間が塞がれている。従来であれば、このような蓋の部分にゴムパッキン等を設ければ漏れを防ぐことができるが、そのためには余分なコストが掛っており、このようなリブ１０を設けることで簡単に漏れを防止することができる。
【００１８】
図４（ｂ）に示すように、前記蓋面７の裏面は、前記リブ１０の注ぎ口側４の方に向かって傾斜面が形成されている。これは、飲料水を注ぐ際に、蓋面７の裏面を流れる飲料水がスムーズに流れる効果を有している。
【００１９】
また、前記スリット９を設けることで、容器本体２に入れた飲料水を注ぐ際に、ピッチャー１の傾きを所定の角度で停止させる効果をもたらす。これは、前記リブ１０の働きとも関係しており、図６に示すように、ある角度までピッチャー１を傾けると、前記スリット９から容器本体２に入っていた飲料水が溢れ出てくる。しかし、図５に示すように、前記スリット９から飲料水が溢れ出ない範囲で、ピッチャー１を傾けていると、前記蓋５と容器本体２が接触している部分から飲料水が漏れるのを前記リブ１０が防いでくれる。
【００２０】
このように、前記スリット９から飲料水が溢れ出ることを目安とすることで、前記蓋５と容器本体２が接触している部分から飲料水が漏れることなく、飲料水を注ぐことができる。傾けることのできる角度は容器本体２に残っている飲料水の量によって変化する。
【００２１】
本発明のピッチャー１を洗う時、あるいは収納する際に、前記蓋５を本体容器２から取り外す場合があるが、蓋５を取り外す際には蓋５設けた突起１２に指を掛けると簡単に取り外すことができる。
【００２２】
このように、本発明のピッチャー１は、蓋を取り外すだけで、簡単に積み重ねることができるだけでなく、よりコンパクトに収納することができる。
【符号の説明】
【００２３】
１    ピッチャー
２    容器本体
３    持ち手
４    注ぎ口
５    蓋
６    凹部
７    蓋面
８    側面
９    スリット
１０  リブ
１１  凸部
１２  突起
【図１】
0005413961.tif 000002
【図２】
0005413961.tif 000003
【図３】
0005413961.tif 000004
【図４】
0005413961.tif 000005
【図５】
0005413961.tif 000006
【図６】
0005413961.tif 000007
【図７】
0005413961.tif 000008
【図８】
0005413961.tif 000009